(57)【要約】【課題】ブラシヘッドの着脱が容易に行なえるようにする。【解決手段】ブラシ１３を植設した磁性体からなるブラシヘッド１４をマグネット１１を介してブラシホルダー８に着脱するようにしたバリ取り用ブラシにおいて、前記マグネット１１に近接して前記ブラシホルダー８の厚み方向に貫通孔８ａが形成され、前記ブラシヘッド１４を前記マグネット１１に磁着したときにその一片が前記貫通孔８ａ内に臨むように装着され、前記貫通孔８ａの一端より棒状物Ｄを差し込んで前記ブラシヘッド１４の一片を押圧することにより、前記ブラシヘッド１４を前記ブラシホルダー８から離脱するようにしたバリ取り用ブラシである。【選択図】図２
2007331085.tif 000002
【特許請求の範囲】
【請求項１】
ブラシを植設した磁性体からなるブラシヘッドをマグネットを介してブラシホルダーに着脱するようにしたバリ取り用ブラシにおいて、前記マグネットに近接して前記ブラシホルダーの厚み方向に貫通孔が形成され、前記ブラシヘッドを前記マグネットに磁着したときにその一片が前記貫通孔内に臨むように装着され、前記貫通孔の一端より棒状物を差し込んで前記ブラシヘッドの一片を押圧することにより、前記ブラシヘッドを前記ブラシホルダーから離脱するようにしたことを特徴としたバリ取り用ブラシ。
【請求項２】
前記ブラシヘッドが複数、前記ブラシホルダーに着脱されるものであることを特徴とした請求項１記載のバリ取り用ブラシ。
【請求項３】
前記ブラシヘッドの前記マグネットへの磁着は、前記マグネットの中心軸と、前記ブラシヘッドの中心軸が偏心するようになされるものであることを特徴とした請求項１または２記載のバリ取り用ブラシ。
【発明の詳細な説明】
【技術分野】
【０００１】
本発明は、バリ取り用ブラシの改良に関するものである。
【背景技術】
【０００２】
ブラシをマグネットを介して保持するようにしたバリ取り用ブラシとしては、実公平２−３０２２４に開示のものがある。このブラシは、図６に示すように、セグメントブラシ１３を密植したブラシヘッド１４をマグネット１１に着脱自在に保持するように構成している。ブラシが磨耗したときは、各セグメントブラシ１３を下方へ引き抜くようにして、ブラシヘッド１４をマグネット１１から引き離す。そして新しいブラシが密植されたブラシヘッド１４を再度、マグネット１１に磁着して、次のバリ取りに備えるのである。
【０００３】
しかしながらこのバリ取り用ブラシには次のような問題があった。即ち、ブラシを長時間使用すると、対象ワークの研磨粉やブラシの磨耗粉がミスト状に舞い上がってブラシヘッド１４とブラシホルダー８との嵌合部に入り込んで行く。磨耗粉ミストが堆積すると、ブラシヘッド１４がブラシホルダー８に噛み込んでマグネット１１から引き離せなくなることがあった。
【特許文献１】実公平２−３０２２４号公報
【発明の開示】
【発明が解決しようとする課題】
【０００４】
以上より本発明が解決しようとする課題は、ブラシホルダー８とブラシヘッド１４との間に磨耗粉ミストが入り込んでも、ブラシヘッド１４の着脱が容易に行なえることを目的とするものである。
【課題を解決するための手段】
【０００５】
上記課題を解決するために請求項１のバリ取り用ブラシは、ブラシを植設した磁性体からなるブラシヘッドをマグネットを介してブラシホルダーに着脱するようにしたバリ取り用ブラシにおいて、前記マグネットに近接して前記ブラシホルダーの厚み方向に貫通孔が形成され、前記ブラシヘッドを前記マグネットに磁着したときにその一片が前記貫通孔内に臨むように装着され、前記貫通孔の一端より棒状物を差し込んで前記ブラシヘッドの一片を押圧することにより、前記ブラシヘッドを前記ブラシホルダーから離脱するようにした。請求項２のバリ取り用ブラシは、前記ブラシヘッドが複数、前記ブラシホルダーに着脱されるようにした。請求項３のバリ取り用ブラシは、前記ブラシヘッドの前記マグネットへの磁着は、前記マグネットの中心軸と、前記ブラシヘッドの中心軸が偏心するようになされるようにした。
【発明の効果】
【０００６】
本発明によれば、ブラシホルダーとブラシヘッドとの間に磨耗粉ミストが入り込んでも、ブラシホルダーに形成された貫通孔より、棒状物を差し込んでブラシヘッドの一部を押圧すれば、ブラシヘッドは強制的にマグネットより離脱するので、ブラシの交換を容易に行なうことができる。
【発明を実施するための最良の形態】
【０００７】
本発明のバリ取り用ブラシを図１〜４に沿って説明する。図２の１は、バリ取り用ブラシを不図示の駆動部に取り付けるための回転軸で、この回転軸１に上板２と下板３がボルトで固定されている。下板３の中心には、中心軸４が回転軸１と同心状に固着されている。上板２円周上には、２本で１組のガイド棒５が６組、ボルトで固定され、ガイド棒５の下端にはリング状の毛先保持板６が固定されている。また上板２には、後述の棒状物が差し込めるように長孔２ａが、図３のように６箇所、形成されている。前記毛先保持板６には穴が形成され、各穴にブラシの先端が屈曲しないようにブラシを保持する円筒状のカラー７が、１２個、セットボルトで固定されている（図４）。
【０００８】
図２において、下板３と毛先保持板６の間には、ブラシホルダー８が上下摺動可能に配されている。ブラシホルダー８の側面には、保持ボルト９がねじ込み可能となっており、1組のガイド棒５の間から保持部材１０を介して保持ボルト９をねじ込んで、３箇所でブラシホルダー８を一定位置に保持するようになっている（図３）。またブラシホルダー８には円柱状のマグネット１１が１２個、セットボルトで埋設固定されている。このマグネット１１に近接して、ブラシホルダー８の厚み方向に、ブラシを離脱するための貫通孔８ａが、同じく１２箇所、形成されている。さらにブラシホルダー８の中心には、円筒状のブッシュ１２が嵌合され、下板３の中心軸４に対して摺動可能となっている。
【０００９】
ブラシ１３は砥材をナイロン樹脂で結合した線材で、金属性のブラシヘッド１４に植設されている。ブラシヘッド１４は前記マグネット１１に磁着されて、ブラシホルダー８に着脱可能となっている。このようなブラシヘッド１４が、１２個着脱可能に配されている。
【００１０】
次に本発明のバリ取り用ブラシの動作説明をする。図２において、まず初めに、新品のブラシ１３を植設したブラシホルダー８を所定位置に保持して、毛先保持板６から一定長のブラシ１３が突出するようにしておく。この状態で、回転軸１を不図示の駆動部に取り付け、駆動部を回転してブラシ１３の下端に設置した不図示のワークのバリ取り研磨を行なう。バリ取り研磨を繰り返してブラシ１３が磨耗したら、保持ボルト９を緩め、毛先保持板６よりブラシ１３が一定長突出するようにブラシホルダー８を下降する。一定長のブラシ１３が突出したら、保持ボルト９を締め込み、ブラシホルダー８を保持固定する。
【００１１】
このように、ブラシ１３が磨耗したら一定長突出するようにブラシホルダー８を下降し、図２の２点鎖線Ｃで示す位置までブラシ１３をほぼ使い切ったら、新品と交換する。このとき、ブラシヘッド１４を引き抜こうとすると、ブラシヘッド１４とブラシホルダー８との間に磨耗粉ミストが入り込んでいて容易に引き抜くことができないことがあるが、貫通孔８ａの上方より、棒状物Ｄを差し込んでブラシヘッド１４の一片を押圧することにより、ブラシヘッド１４がマグネット１１より離脱して、磨耗したブラシ１３を交換することができる。なお、ブラシヘッド１４の外径は、毛先保持板６のカラー７の内径より小径に形成してあるので、ブラシヘッド１４をカラー７を通して着脱することに何ら支障はない。
【００１２】
前記実施形態では、マグネット１１の中心軸とブラシヘッド１４の中心軸を偏心させてあるが、図５（ａ）のように、マグネット１１をさらに小径のものとして、両者を同心状に配することもできる。この場合、ブラシヘッド１４の保持力は弱くなるが、さらに磁力の強いマグネットに置き換えれば問題ない。また同じく同心状に配した例として、図５（ｂ）のようにマグネット１１を三角柱状にしたり、図５（ｃ）のように立方体状のものとし、各マグネット１１の一辺よりブラシヘッド１４がはみ出すように構成しても、ブラシヘッド１４の着脱が可能である。
【図面の簡単な説明】
【００１３】
【図１】本発明のバリ取り用ブラシの正面図
【図２】同じく断面図
【図３】図２のＡ矢視及びＢ矢視の平面図
【図４】本発明の底面図
【図５】マグネットとブラシヘッドの他の実施形態を示した図
【図６】従来のバリ取り用ブラシの正面断面図
【符号の説明】
【００１４】
１  回転軸
２  上板
２ａ  長孔
３  下板
４  中心軸
５  ガイド棒
６  毛先保持板
７  カラー
８  ブラシホルダー
８ａ  貫通孔
９  保持ボルト
１０  保持部材
１１  マグネット
１２  ブッシュ
１３  ブラシ
１４  ブラシヘッド
【図１】
2007331085.tif 000003
【図２】
2007331085.tif 000004
【図３】
2007331085.tif 000005
【図４】
2007331085.tif 000006
【図５】
2007331085.tif 000007
【図６】
2007331085.tif 000008